(57)【要約】【課題】通信端末装置に搭載される音楽の演奏機能において、少なくとも連続的な音程の変化に適した演奏機能を持たせる。また、複数の演奏者による演奏データを生成する機能を持たせ、複数の演奏者による演奏を可能とする。【解決手段】端末本体の筐体に設けられた少なくとも接触位置を検出する線状の検出部（検出手段）４と、この検出部の検出信号に基づいて演奏波形信号を生成する演奏波形生成部と、この演奏波形信号を音声出力する出力部とを備える。複数の演奏者による演奏は、演奏波形信号の信号形態または前記検出部の検出信号に対応した演奏データの信号形態で端末間で通信し、合成することによって行う。【選択図】図１
2006195215.tif 000002
【特許請求の範囲】
【請求項１】
端末本体の筐体に設けられた少なくとも接触位置を検出する線状の検出手段と、
前記検出手段の検出信号に基づいて演奏波形信号を生成する演奏波形生成手段と、
前記演奏波形生成手段が生成した演奏波形信号を音声出力する出力手段とを備えることを特徴とする通信端末装置。
【請求項２】
前記演奏波形信号を演奏波形データとして記録する波形データ記録手段と、
複数の演奏波形信号を合成する演奏波形合成手段とを備え、
前記演奏波形合成手段は、前記波形データ記録手段から読み出した演奏波形データから得られる演奏波形信号と前記演奏波形生成手段で生成された演奏波形信号とを合成し、
前記出力手段は、前記合成した演奏波形信号を音声出力することを特徴とする請求項１に記載の通信端末装置。
【請求項３】
前記送受信手段は、前記演奏波形生成手段で生成された演奏波形信号、及び／又は、前記演奏波形合成手段で合成した演奏波形信号を演奏波形データとして送信することを特徴とする請求項１又は２に記載の通信端末装置。
【請求項４】
端末本体の筐体に設けられた少なくとも接触位置を検出する線状の検出手段と、
前記検出手段の検出信号を演奏データとして記録する演奏データ記録手段と、
前記検出手段の検出信号及び／又は前記記録された検出信号に基づいて演奏波形信号を生成する演奏波形生成手段と、
前記演奏波形信号を音声出力する出力手段を備えることを特徴とする通信端末装置。
【請求項５】
前記送受信手段は、前記検出手段の検出信号及び／又は前記記録された検出信号を演奏データとして送信することを特徴とする請求項４に記載の通信端末装置。
【請求項６】
前記演奏波形生成手段は、前記検出手段の検出信号と前記演奏データ記録手段から得られた検出信号とを合成し、
前記出力手段は、合成した演奏波形信号を音声出力することを特徴とする請求項４に記載の通信端末装置。
【請求項７】
前記演奏データ記録手段は、前記検出手段の検出信号に対応する演奏データを一時記録する第１の記録領域と前記送受信手段により受信された演奏データを記録する第２の記録領域とを有し、
前記演奏波形生成手段は前記第１及び第２の記録領域から読み出した演奏データに基づいて演奏波形信号を生成することを特徴とする請求項５に記載の通信端末装置。
【請求項８】
前記演奏データ記録手段はパート毎の演奏データを記録する機能を有し、
前記演奏波形生成手段は複数のパートの演奏データに基づいて演奏波形信号を生成することを特徴とする請求項４に記載の通信端末装置。
【請求項９】
操作キーを含む操作部及び複数の音色に対応する複数の音源波形データを有する音源を備え、
前記演奏データ記録手段は、前記操作キーの操作による音源波形データの選択信号とともに前記検出部の検出信号を演奏データとして記録し、
前記演奏波形生成手段は、前記選択信号に基づいて選択された音源波形データを前記検出信号に基づいて変調することにより演奏波形信号を生成することを特徴とする請求項５〜８のいずれかに記載の通信端末装置。
【請求項１０】
複数の通信端末装置間において複数のパートの演奏を組み合わせる演奏システムであって、
各通信端末装置は、
端末本体の筐体に設けられたユーザ操作を検出する検出手段と、
前記検出手段の検出信号に応じて演奏波形信号を生成する演奏波形生成手段と、
前記演奏波形信号を再生する再生手段と、
データを送受信する送受信手段と、
前記送受信手段で受信した１以上のパートの演奏波形信号に、前記検出手段の検出信号に応じて得られたパートの演奏波形信号を付加して演奏波形信号を合成する演奏波形合成手段とを備え、
前記再生手段は、前記検出手段の検出信号に応じて得られた演奏波形信号と前記送受信手段により受信した演奏波形データに対応する演奏波形信号のいずれか一方あるいは両方を合成した演奏波形信号を再生し、
前記送受信手段は、合成した演奏波形信号を演奏波形データとして送信することを特徴とする演奏システム。
【請求項１１】
複数の通信端末装置間において複数のパートの演奏を組み合わせる演奏システムであって、
各通信端末装置は、
端末本体の筐体に設けられたユーザ操作を検出する検出手段と、
前記検出手段の検出信号を演奏データとして記録する演奏データ記録手段と、
前記検出手段の検出信号及び／又は前記記録された検出信号に基づいて演奏波形信号を生成する演奏波形生成手段と、
前記演奏波形信号を再生する再生手段と、
データを送受信する送受信手段と、
前記検出信号と演奏データとの間で変換処理を行う変換手段とを備え、
前記演奏波形生成手段は、前記送受信手段で受信した１以上のパートの演奏データを変換して得られる検出信号と、前記検出手段から得られたパートの検出信号とを用いて演奏波形信号を生成し、
前記演奏波形生成手段は、前記検出手段から得られたパートの検出信号と前記演奏データから生成した他のパートの検出信号のいずれか一方あるいは両方に基づいて演奏波形信号を生成し、
前記送受信手段は、前記送受信手段で受信した他のパートの演奏データに対して前記検出手段から得られたパートの検出信号を変換した演奏データを付加して得られた演奏データを送信することを特徴とする演奏システム。
【請求項１２】
前記各通信端末装置は、操作キーを含む操作部及び複数の音色に対応する複数の音源波形データを有する音源を備え、
前記演奏データ記録手段は、前記操作キーの操作による音源波形データの選択信号とともに前記検出部の検出信号を演奏データとして記録し、
前記演奏波形生成手段は、前記選択信号に基づいて選択された音源波形データを前記検出信号に基づいて変調することにより演奏波形信号を生成することを特徴とする請求項１１に記載の演奏システム。
【発明の詳細な説明】
【技術分野】
【０００１】
本発明は、通信端末装置に関し、楽曲の演奏機能、及び複数の通信端末装置間において協同して演奏データを作成する機能を備える通信端末装置、及び演奏システムに関する。
【背景技術】
【０００２】
携帯電話機等の通信端末装置は、アプリケーションを付加することによって種々の機能を備えるものが提案され、実用化されている。例えば、着メロや着うた等の名称で呼ばれる着信報知機能は、通信端末装置に音楽再生の機能を盛り込むものである。通信端末装置はこれらの機能を実現するために音源を備えているが、この音源は単に着信音として用いるだけでなく、ダウンロードした楽曲を再生して再生プレーヤーとしても利用されている。例えば、一部の通信端末装置には、ＭＰ３等の音楽用のコード信号を再生できる機能が搭載され、ポータブルオーディオプレーヤーとして利用されている。
【０００３】
上記したように、通信端末装置を音楽を再生する機器として用いる他に、音楽を演奏する機器として用いることも提案されている（例えば、特許文献１，２参照）。
【０００４】
特許文献１には、携帯電話機に設けられた振動センサによって携帯電話機の振動を検出し、振動の大きさに比例した信号によりリズム音信号を形成し、マスカラ音等のリズム楽器の機能を携帯電話機に持たせるものが開示されている。
【０００５】
特許文献２には、携帯電話装置にタッチパッドと圧力センサを設け、選択された音色の音量を圧力値によって生成すると共に、数字キーを押すことで数字キーに割り当てられた音高を指定するものが開示されている。また、この特許文献には、リアルタイム演奏の内容を送信して、他の通信端末装置に内蔵された音源を駆動する点も開示されている。
【特許文献１】特開２００３−１２５４５５号公報
【特許文献２】特開２００４−３７６４６号公報
【発明の開示】
【発明が解決しようとする課題】
【０００６】
従来提案されている通信端末装置に搭載される音楽の演奏機能では、演奏として満足できる程度の十分な機能を備えていないという問題がある。
【０００７】
例えば、演奏内容や表現力が不十分である。従来提案されている通信端末装置に搭載される音楽の演奏機能は、主に打楽器やリズム楽器等の音を発するタイミングと音量とを定める演奏であり、演奏内容や表現力が制限され、音色、音程、音量、特に連続的な音程の変化を表現するには十分に満足するものとなっていないという問題がある。
【０００８】
前記した特許文献２では、音程の指定を携帯電話機が備える数字キーを利用することが提案されているが、数字キーによる入力方法は実際の楽器演奏の入力方法と差が大きく、格子状に配列された数字キーを選択して音程を定める操作は、演奏には不向きである。また、数字キーはデジタル入力には適するが、押下力や指の振動などのアナログ量を検出することができないため、トレモロ等の演奏は困難であり演奏の表現力に限界がある。
【０００９】
また、上記した演奏内容や表現力が不十分であるという問題の他に、複数の演奏者による演奏に適していないという問題がある。
【００１０】
楽器の演奏形態として、一人で演奏を行うソロ演奏の他、複数の演奏者が種々の楽器を用いて演奏を行う合奏の演奏形態がある。従来提案されているものは単にソロ演奏を行うに過ぎず、合奏の演奏形態を楽しむことはできない。
【００１１】
前記した特許文献２では、リアルタイム演奏の内容を送信することが提案されているが、この構成は単に通信端末装置の通信機能を用いて他の通信端末装置に送って発音させているに過ぎず、一台の端末で複数の演奏者が種々の楽器を用いて演奏を行う合奏の演奏形態を行うものではない。
【００１２】
そこで、本発明は上記課題を解決し、通信端末装置に搭載される音楽の演奏機能において、少なくとも連続的な音程の変化に適した演奏機能を持たせることを目的とする。
【００１３】
また、複数の演奏者による演奏データを生成する機能を持たせ、複数の演奏者による演奏を可能とすることを目的とする。
【課題を解決するための手段】
【００１４】
本発明の通信端末装置及び演奏システムは、演奏操作のためにユーザが操作する検出手段の検出信号に基づいて生成された演奏波形信号の信号形態で複数の演奏の合成処理や通信端末装置間の送受信を行う第１の態様と、前記検出手段の検出信号の信号形態で複数の演奏の合成処理や通信端末装置間の送受信を行う第２の態様を含む。
【００１５】
本発明の通信端末装置は、第１の態様の構成では、受信手段を備える通信端末装置において、端末本体の筐体に設けられた少なくとも接触位置を検出する線状の検出手段と、前記検出手段の検出信号に基づいて演奏波形信号を生成する演奏波形生成手段と、前記演奏波形生成手段が生成した演奏波形信号を音声出力する出力手段とを備えることを特徴とする。
【００１６】
検出手段は線状の検出領域を有するので、ユーザが接触する位置に応じて連続的に変化する音程を入力することができる。
【００１７】
演奏波形生成手段は、検出手段の検出信号に基づいて演奏波形信号を生成する。出力手段は、この演奏波形信号により、通信端末装置が備える例えばスピーカ等を駆動することで音声出力を行う。
【００１８】
また、第１の態様において、好ましくは、前記演奏波形信号を演奏波形データとして記録する波形データ記録手段と、複数の演奏波形信号を合成する演奏波形合成手段とを備え、前記演奏波形合成手段は、前記波形データ記録手段から読み出した演奏波形データから得られる演奏波形信号と前記演奏波形生成手段で生成された演奏波形信号とを合成し、前記出力手段は、前記合成した演奏波形信号を音声出力する。
【００１９】
演奏波形合成手段は、二つの演奏波形信号の信号合成を行う。合成を行う信号は、波形データ記録手段から読み出した演奏波形データから得られる演奏波形信号と、演奏波形生成手段で生成された演奏波形信号とである。前者の演奏波形信号は、例えば他の通信端末装置で生成され、演奏波形データの形態で送受信され、波形データ記録手段に格納されており、他の演奏者による演奏が記録されている。演奏波形合成手段は、この波形データ記録手段に記録されている演奏波形データから演奏波形信号を生成し、通信端末装置で演奏して得られる演奏波形信号と信号合成することで、複数の演奏を組み合わせる。
【００２０】
波形データ記録手段は、演奏波形合成手段で合成した演奏波形信号を演奏波形データの形態で記録する。記録した演奏波形データは、通信端末装置の送受信機能によって他の通信端末装置に送信することができる。他の通信端末装置は、受信した演奏波形データを波形データ記録手段に格納し、演奏波形データを読み出して再生して音声出力する他、前記したと同様に他の通信端末装置の演奏による演奏波形信号と合成して、音声出力したり波形データ記録手段に記録することができる。
【００２１】
上記動作を複数の通信端末装置の間で繰り返すことで、所定のパートからなる楽曲の演奏データが生成される。
【００２２】
本発明による通信端末装置は、第２の態様においては、端末本体の筐体に設けられた少なくとも接触位置を検出する線状の検出手段と、前記検出手段の検出信号を演奏データとして記録する演奏データ記録手段と、前記検出手段の検出信号及び／又は前記記録された検出信号に基づいて演奏波形信号を生成する演奏波形生成手段と、前記演奏波形信号を音声出力する出力手段を備えることを特徴とする。
【００２３】
この第２の態様では、検出手段の検出信号を演奏データとして記録し、これに基づいて演奏波形信号を生成したり、外部から受信した他のパートの演奏データと組み合わせることができる。
【００２４】
さらに、本発明は演奏システムの形態とすることができ、前記した通信端末装置と同様に第１の態様及び第２の態様のいずれをも採用することができる。
【００２５】
本発明の演奏システムの第１の態様は、複数の通信端末装置間において複数のパートの演奏を組み合わせる演奏システムであり、通信端末装置間では演奏波形データの信号形態で送受信を行う。
【００２６】
再生手段は、ユーザによる検出手段の操作により得られた演奏波形信号を再生することで、各演奏者のソロ演奏を音声出力する。また、この演奏波形信号を外部から受信した演奏波形データから得られる両演奏波形信号と合成して再生することで、複数の演奏者の演奏を同時に音声出力することができる。また、この合成した演奏波形信号を新たな演奏波形データとして他の通信端末装置へ送信することができる。
【００２７】
本発明の演奏システムは、第２の態様においては、複数の通信端末装置間において複数のパートの演奏を組み合わせる演奏システムであって、各通信端末装置は、端末本体の筐体に設けられたユーザ操作を検出する検出手段と、前記検出手段の検出信号を演奏データとして記録する演奏データ記録手段と、前記検出手段の検出信号及び／又は前記記録された検出信号に基づいて演奏波形信号を生成する演奏波形生成手段と、前記演奏波形信号を再生する再生手段と、データを送受信する送受信手段と、前記検出信号と演奏データとの間で変換処理を行う変換手段とを備え、前記演奏波形生成手段は、前記送受信手段で受信した１以上のパートの演奏データを変換して得られる検出信号と、前記検出手段から得られたパートの検出信号とを用いて演奏波形信号を生成し、前記演奏波形生成手段は、前記検出手段から得られたパートの検出信号と前記演奏データから生成した他のパートの検出信号のいずれか一方あるいは両方に基づいて演奏波形信号を生成し、前記送受信手段は、前記送受信手段で受信した他のパートの演奏データに対して前記検出手段から得られたパートの検出信号を変換した演奏データを付加して得られた演奏データを送信することを特徴とする。
【００２８】
この第２の態様における演奏データは、検出手段の検出信号に対応するものである。データの記録および送受信はこの演奏データの形態で行われる。したがって、受信した演奏データに複数のパートが含まれる場合には任意のパートを選択的に再生したり、編集したりすることができる。送信される演奏データは、通信端末装置間で送受信を行う毎に、その通信端末装置で生成されたパートの演奏データが付加されていく。
【発明の効果】
【００２９】
本発明の通信端末装置によれば、通信端末装置に少なくとも連続的な音程の変化に適した演奏機能を持たせることができる。また、本発明の通信端末装置によれば、複数の演奏者による演奏データを生成する機能を持たせることができる。
【００３０】
本発明の演奏システムによれば、各通信端末装置において複数の演奏者による演奏データを生成し、生成した演奏データによって複数の演奏者による演奏を行うことができる。
【発明を実施するための最良の形態】
【００３１】
以下、本発明の実施の形態について図を参照しながら詳細に説明する。
【００３２】
はじめに、本発明の通信端末装置の概略構成について図１を用いて説明する。図１は、通信端末装置の概略を示している。通信端末装置１は携帯電話機の構成例を示しているが、携帯電話機に限らず通信機能を備えた任意の端末装置とすることができる。
【００３３】
通信端末装置１は、携帯電話機が通常備える構成に加えて、筐体２の一部に音色、音程、音量のうちの少なくとも音程を入力することができる線状の検出部４を備える。図１（ａ），（ｂ），（ｃ）は検出部４を筐体２の側面部３に設けた構成例を示し、図１（ｄ）は検出部６を筐体２の背面部５に設けた構成例を示している。
【００３４】
検出部４は、本発明による演奏手段の構成要素であり、線状に伸びた細長い領域の任意の位置に対して演奏者が体の一部（例えば、指）で接触したこと検出し、その接触した位置を検出信号として出力する。通信端末装置１は、検出部４で検出した検出信号から、その位置に基づいて演奏の際の音程を設定する。例えば、検出部４の長手方向に沿った直線上の位置と音程とを対応付けておくことで、接触した位置で音程を入力することができる。発音のタイミングや音の長さは接触のタイミングや長さによって定まる。また、同様に、音量や音色を入力することもできる。
【００３５】
図１（ａ），（ｂ）のように１つの検出部４ａのみを備える構成の場合には、典型的には音程を入力するためにその検出部を用いるが、選択部によって音色、音程、音量の内のいずれの要素を入力するかを選択し、選択した要素について入力を行うようにすることもできる。なお、この選択部は、通信端末装置１が備える数字キーを利用することができる。
【００３６】
図１（ｃ）のように２つの検出部４ｂ，４ｃを備える構成の場合には、この２つの検出部４ｂ，４ｃを音程と、音色または音量との２つの要素を入力するように設定あるいは選択可能とする。例えば、典型的には、音程、音量の２つの要素を入力する。このとき、音色は、通信端末装置１が備える数字キーにより設定することができる。
【００３７】
また、図１（ｄ）に示す検出部６は筐体２の背面部５に設ける構成であって、湾曲した線状、すなわちここではリング状あるいは円弧状の形状である。この構成によれば、演奏者は、演奏操作を指を回す動作で行うことができ、良好な操作性が得られる他、検出部分の長さを長くとることができるため分解能を高めることができる。
【００３８】
数字キーを用いた場合には、そのストロークが短いためオン／オフしか検出することができないが、本発明の検出部では、筐体２の側面部や背面部等に線状に伸びた検出領域を設けることで、筐体２の長さや巾を利用することによっての変化量の幅を広くとることができる。
【００３９】
なお、検出部を構成する素子としては、圧電素子等の圧力を検出する圧力センサ、容量の変動を検出する容量センサ、電気的抵抗を検出する抵抗センサ等、任意のセンサを適用することができる。
【００４０】
また、上記の他に、折りたたみ式の携帯電話機の構成では、数字キー等を含む操作部が配された筐体と表示部分が設けられた筐体とを回動自在に連結する連結部に検出部を設け、連結部での回動角度によって音色、音程、音量等を入力することもできる。
【００４１】
図２は本発明の通信端末装置１のシステム構成を説明するためのブロック図である。図２において、各部２０２〜２１２の制御は制御ライン２３０を介してＣＰＵ（中央処理装置）等の制御部２０１により制御され、各部２０４〜２０９間のデータの移動はデータライン２３１を介して行われる。制御部２０１はプログラムや操作部２０２から入力された指令に従って所定の制御を行う。
【００４２】
操作部２０２は、通信端末装置が備える各操作について入力を行う部分であり数字キー等の各種操作キーにより構成することができる。
【００４３】
表示部２０３は、通信端末装置が備えるディスプレイ部分であり、例えば、液晶表示装置で構成することができる。
【００４４】
記録部２０４は、プログラムやフォントデータ等が記録された不揮発性の読み出し専用メモリであるＲＯＭ、および、データの一時記録用の読み書き可能なメモリであるＲＡＭを備える。ＲＯＭは再書き込み可能なメモリを備えてもよい。また、記録部２０４は、通信部２０５で受信したりあるいは演奏波形生成部２０７で生成した演奏波形を演奏波形合成部２０８で合成して得られる演奏波形データや演奏データ等を記録する。
【００４５】
通信部２０５は送受信部であり、送信波をアンテナ２２０から送信したり、アンテナ２２０で受けた受信信号を受信する。音声処理部２０７は、通信端末装置による音声処理を行う部分であり、マイクロホン（図示していない）から入力した音声信号をデジタルデータに変換し、さらに圧縮等のデータ処理により送信データとして通信部２０５に出力する。また、通信部２０５からの受信データを伸張してアナログ音声信号に変換し、Ｉ／Ｆ部２１０を介してスピーカ２２２から音声出力する。本実施の形態では、演奏により得られた演奏波形データもアナログ音声信号に変換され音声出力される。
【００４６】
演奏波形生成部２０８は、演奏操作を検出する検出部２２１からの検出信号を受け、音源部２０６に用意されている波形データを変調して演奏波形信号を生成する。
【００４７】
ここで、演奏波形信号は、音源部２０６の波形データを検出部２２１からの検出信号で変調して得られる波形信号である。一方、検出信号は検出部２２１からの検出信号により形成される制御信号であり、音源部２０６の波形データを変調することで波形信号を生成することができる。
【００４８】
演奏波形生成部２０８で生成された演奏波形信号は、スピーカ２２２を駆動することで音声信号として出力することができる他、記録部２０４に記録することができる。
【００４９】
演奏波形合成部２０９は、検出部２２１の操作により生成される演奏波形信号と、他の通信端末装置１から受信した演奏波形信号とを波形合成する。合成して得られた演奏波形信号は、スピーカ２２２を駆動して音声信号として出力したり、記録部２０４に記録したりする。パート毎に演奏波形信号を生成し、演奏波形合成部２０９によりこれらの演奏波形信号を合成することによって、複数のパートを同時に演奏することができる。さらに、パートの演奏波形信号を追加していくことで、同時演奏するパート数を増やすことができる。
【００５０】
なお、記録を行う信号の形態として演奏波形信号を用いる場合には、演奏波形信号は一つの信号として記録されるため、演奏波形信号中に複数のパートの演奏波形を重ねる場合には、元の演奏波形信号の演奏で得られた新たな演奏波形信号を上書きする形態となる。
【００５１】
一方、後に詳述するように、記録を行う信号の形態として検出信号に対応した演奏データを用いる場合、演奏データは各パートの音色、音程、音量等の要素毎のデータとして記録されるため、演奏データ中に複数のパートの演奏を重ねる場合には、元の演奏信号に、演奏で得られた新たなパートの演奏データを付加する形態となる。したがって、各パートの演奏データはそのまま維持される。
【００５２】
Ｉ／Ｆ部２１０は、検出部２２１やスピーカ２２２を、制御ライン２３０やデータライン２３１と接続する手段である。
【００５３】
以下、本発明の通信端末装置の第１の態様について図３〜図９を用いて説明し、本発明の通信端末装置の第２の態様について図１０〜図１５を用いて説明し、本発明の演奏システムの態様について図１６〜図１８を用いて説明する。
【００５４】
はじめに、本発明の通信端末装置の第１の態様について説明する。第１の態様では、通信端末装置の演奏で生成した演奏波形信号を演奏波形データに変換して送信し、受信した演奏波形データを変換して演奏波形信号として再生する。また、演奏波形信号の信号形態の状態で波形合成することによって、複数のパートの演奏を行う。
【００５５】
図３は、本発明の通信端末装置の第１の態様の機能構成を説明するためのブロック図である。図３において、演奏部３０１はユーザによる演奏操作に応じて演奏波形信号を生成し、生成した演奏波形信号により再生部３０２を駆動して音声出力する。
【００５６】
演奏部３０１は、選択部３０１ａ、音源部３０１ｂ、検出部３０１ｃ、演奏波形生成部３０１ｄを備える。音源部３０１ｂは、例えばドラム、ベース、ギター等の楽器の音色の波形データを記録しており、選択部３０１ａから選択することができる。
【００５７】
選択部３０１ａは、例えば、通信端末装置が備える数字キーを用いることができ、数字キーと各楽器の音色とを対応させておき、数字キーを押下することで音色を選択することができる。
【００５８】
検出部３０１ｃは、前記図１で示したセンサを用いて指等で接触する位置や圧力を検出し、その検出信号を時間軸上で音程や音量に対応付けることで演奏動作を行う。
【００５９】
演奏波形生成部３０１ｄは、音源部３０１ｂからの波形データを検出部３０１ｃからの検出信号によって変調して、楽器を演奏したと同様の演奏波形信号を生成する。ここで、演奏波形信号はアナログ波形信号であり、再生部３０２のアンプ３０２ａで増幅することでスピーカ３０２ｂを駆動して音声出力する。演奏波形信号は音源の波形データを演奏操作に合わせて変調したものであるため、音声出力される音は楽器を演奏したと同様な音色となる。
【００６０】
生成した演奏波形信号は、エンコーダ３０６により演奏波形データの形態に符号化し、波形データ記録部３０４に記録することができる。記録された演奏波形データは、デコーダ３０５により演奏波形信号の形態に復号化することができる。復号化された演奏波形信号は、再生部３０２で再生し音声出力することができる。
【００６１】
また、波形データ記録部３０４は、通信端末装置が備える送受信部３１０で受信した演奏波形信号を記録することができる。この受信した演奏波形信号は、他の通信端末装置で演奏した演奏波形信号である。
【００６２】
記録された演奏波形データは、デコーダ３０５により演奏波形信号の形態に復号化して演奏波形合成部３０３に送られる。演奏波形合成部３０３には、前記した演奏部３０１で生成した演奏波形信号も入力されており、受信で得られた演奏波形信号と演奏部３０１で生成した演奏波形信号とを合成することができる。合成された演奏波形信号は、二つの演奏波形信号を重ね合わせた波形信号となり、この合成した演奏波形信号を再生部３０２で再生して音声出力することで、複数のパートを同時に演奏したと同様の音を発生することができる。
【００６３】
この演奏波形合成を用いることにより、例えば、他の通信端末装置からベースのパートの演奏が記録された演奏波形信号を受信し、演奏部３０１においてギターの音源を選択して演奏を行ってギターのパートの演奏波形信号を生成し、演奏波形合成部３０３においてベースのパートの演奏波形信号とギターのパートの演奏波形信号とを合成して再生部３０２で再生すると、ベースとギターの各パートを同時に演奏したと同様の音を出力することができる。
【００６４】
演奏波形合成部３０３で合成して得られた演奏波形信号は、エンコーダ３０６により演奏波形データの形態に符号化して波形データ記録部３０４に記録しておき、デコーダ３０５で復号化して再生部３０２で再生する他、送受信部３１０（図２の通信部２０５に対応）により他の通信端末装置に送信することができる。
【００６５】
この送信信号を受信した通信端末装置は、前記と同様に操作によって再生や、別のパートの演奏を重ね合わせて演奏波形信号を生成することができる。
【００６６】
図４は図３に示す構成例における動作例を説明するためのフローチャートであり、図５は通信端末装置に表示される案内画面例を示している。
【００６７】
演奏を行うアプリケーションを開始すると、音色を選択する案内画面（図５（ａ））が表示される。案内画面には、例えば、ドラム、ベース、ギター、ボーカル等のパートが表示され、パートを選択することで対応する音色の音源が選択される。なお、ボーカルを選択した場合には、ボーカルの音源を選択する他に、音源を選択せずにマイクにより音声入力を選択するようにしてもよい（Ｓ１）。
【００６８】
次に、演奏モードを選択する案内画面（図５（ｂ））を表示して、演奏モードの選択を行う（Ｓ２）。演奏モードは、例えばソロモードとミッククスモードがある。ソロモードは演奏者の単独演奏を行って、演奏波形の合成を行わないモードである。一方、ミックスモードは、既に演奏され記録されている演奏波形信号を再生しながら、演奏者による演奏を行って演奏波形信号を生成し、これらの演奏波形信号を合成するモードである。
【００６９】
ミックスモードを選択した場合には、再生ファイルを選択する案内画面（図５（ｃ））を表示して、再生ファイルの選択を行う（Ｓ３）。再生ファイルには、既に生成された演奏波形信号が記録されており、通信端末装置の送受信部により他の通信端末装置から受け取って記録しておくことができる。また、記録部に再生ファイルが記録されていない場合には、他の通信端末装置と接続して取得してもよい。
【００７０】
取得した再生ファイルにパート情報が設定されている場合には、パート情報を案内画面（図５（ｄ））を表示して、パートの演奏状態を確認することができる。図５（ｄ）の例では、ドラムのパートは既に演奏波形信号が生成されているが、他のパート（ベース、ギター、ボーカル）については未演奏であることを確認することができる。なお、このパート情報の確認において、既に選択した音色のパートと重なる場合には、音色を変更してもよい。
【００７１】
演奏波形合成部（ミキサ）による演奏波形合成を設定し（Ｓ４）、演奏を行う（Ｓ５）。演奏を記録するかを選択する案内画面（図５（ｅ））を表示し、演奏により生成された演奏波形信号を記録する場合には、波形データ記録部３０４の記録データを更新し（Ｓ８）、記録を行わない場合には生成した演奏波形信号を消去する（Ｓ７）。
【００７２】
次に演奏者に曲データを送信するかの案内画面（図５（ｆ））を表示し、記録した演奏波形信号の次の演奏者への送信、あるいは受信した演奏波形信号の次の演奏者への転送を行う。送信先は、送信先を選択する案内画面（図５（ｇ））を表示し、案内画面（図５（ｈ））で表示された選択された送信先に送信する。
【００７３】
図６，図７は、本発明の演奏システムによる通信端末装置間の動作例を説明するための概略図及び動作状態図である。また、図８は案内画面の例を示している。
【００７４】
図６，図７に示す例では、パートＡ〜パートＤの４つの演奏パートをＡさん〜Ｄさんで分担して演奏し、各パートの演奏を合成して得られた全パートデータを演奏者全員に送信する場合を示している。
【００７５】
ここでは、最初の発信元をＡさんとし、Ｂさん、Ｃさん、Ｄさんの順で送られる状態を示しているが、送信順は予め発信元であるＡさんの段階で設定しておくことも、あるいは、受信者が次の送信先を任意に選択して設定しておくことも可能である。発信元において送信順を予め設定する場合には、発信元が送信先順序のデータを設定し、演奏波形信号と共にこの順序データを送り、受信側では送られた送信先順序のデータに従って次の送信先の送る操作を繰り返し、送信順の最後に設定された演奏者は、送信先順序のデータに設定された全員に生成した演奏波形信号を送信する。
【００７６】
発信元であるＡさんはパートＡを担当してドラムパートを演奏（１）して演奏波形信号を生成して記録し（２）、次のＢさんに送信する（３）。Ｂさんは、Ａさんから送信された演奏波形信号を受信し（４）、パートＢを担当して送られた演奏波形信号を再生して（５）、ベースパートを演奏し（６）、ミキシングしてパートＡにパートＢを重ねた演奏波形信号を生成して記録し（７）、次のＣさんに送信する（８）。
【００７７】
Ｃさんは、Ｂさんから送信された演奏波形信号を受信し（９）、パートＣを担当して送られた演奏波形信号を再生して（１０）、ギターパートを演奏し（１１）、ミキシングしてパートＡとパートＢにパートＣを重ねた演奏波形信号を生成して記録し（１２）、次のＣさんに送信する（１３）。
【００７８】
Ｄさんは、Ｃさんから送信された演奏波形信号を受信し（１４）、パートＤを担当して送られた演奏波形信号を再生して（１５）、ボーカルパートを演奏し（１６）、ミキシングしてパートＡとパートＢとパートＣにパートＤを重ねた演奏波形信号を生成して記録して（１７）、全パートを完成させる。
【００７９】
Ｄさんは、完成した全パートを、Ａさん，Ｂさん，Ｃさんに送信する（１８）。
【００８０】
Ｃ，Ｂ，ＡさんはＤさんから送られた演奏波形信号を受信し（１９，２０，２１）、再生する（２２，２３，２４）。
【００８１】
次に、演奏者が担当するパートが予め設定されておらず、受信者が未演奏のパートを参考にして演奏を行う場合の案内画面例について、図８を用いて説明する。
【００８２】
図８（ａ）に示す案内画面例は、発信元がドラムパートを選択した場合、及び次の受信者が受信したときの案内画面例を示している。この場合には、ドラムパートにチェックが付され、ベースパート、ギターパート、及びボーカルパートが未演奏であることを示している。
【００８３】
次の図８（ｂ）に示す案内画面例は、１番目の受信者がギターパートを選択した場合、及び２番目の受信者が受信したときの案内画面例を示している。この場合には、ドラムパートとギターパートにチェックが付され、ベースパート、及びボーカルパートが未演奏であることを示している。
【００８４】
次の図８（ｃ）に示す案内画面例は、２番目の受信者がベースパートを選択した場合、及び３番目の受信者が受信したときの案内画面例を示している。この場合には、ドラムパートとギターパートとベースパートにチェックが付され、ボーカルパートが未演奏であることを示している。
【００８５】
次の図８（ｄ）に示す案内画面例は、３番目の最後の受信者がボーカルパートを選択した場合の案内画面例を示している。この場合には、ドラムパート、ギターパート、ベースパート、及びボーカルパートにチェックが付され、全てのパートが演奏済みであることを示している。
【００８６】
図９は、第１の態様における再生ファイルのデータ構成例を説明するための図である。
【００８７】
再生ファイルは、例えば、再生ファイルの書誌事項がヘッダ部と、演奏波形データが記録される演奏波形データ部を備える。
【００８８】
ヘッダ部は、例えば、演奏のタイトル名を表すタイトル情報、演奏を構成するパート数（例えば、４つのパートで構成される演奏であれば“４”）、各パートの内容（例えば、ドラム、ベース、ギター，ボーカル等）を表すパート情報、各パートを演奏した演奏者名などを表す演奏者情報等を含む。
【００８９】
演奏波形データは、前記したように演奏波形信号を符号化したデータであり、各演奏者による各パートの演奏波形が合成されており、デコーダで演奏波形信号に変換することによって再生部で音声出力することができる。
【００９０】
次に、本発明の通信端末装置の第２の態様について説明する。第２の態様では、通信端末装置の各パートの演奏を音色、音程、音量の各演奏要素を表す演奏データの形態で送信し、受信した演奏データを用いて音源の選択および変調を行うことで演奏を再生する。また、複数パートによる演奏は、演奏データの段階で合成して、合成結果により音源を変調することによって行う。
【００９１】
図１０は、本発明の通信端末装置の第２の態様の機能構成を説明するためのブロック図である。図１０において、演奏部１００１はユーザによる演奏操作に応じて演奏波形信号を生成し、生成した演奏波形信号により再生部１００３を駆動して音声出力する。
【００９２】
演奏部１００１は、選択部１００１ａ、音源部１００１ｂ、検出部１００１ｃ、演奏波形生成部１００１ｄを備える。
【００９３】
ここで、選択部１００１ａ、音源部１００１ｂ、検出部１００１ｃは、前記図３で示した、選択部３０１ａ、音源部３０１ｂ、検出部３０１ｃと同様であるため説明は省略する。
【００９４】
演奏波形生成部１００１ｄは、前記図３に示す演奏波形生成部３０１ｄと同様に、音源部３０１ｂからの波形データを検出部３０１ｃからの検出信号によって変調して、楽器を演奏したと同様の演奏波形信号を生成する他に、後述する演奏データ記録部１００４に記録される演奏データをデコードして得られる検出信号（および選択信号）によっても波形データの変調を行うことができ、他の演奏者が演奏した演奏データや、自身の演奏による演奏データにより演奏波形信号を生成して、再生部１００２で音声出力することができる。
【００９５】
演奏波形生成部１００１ｄが出力する演奏波形信号は、図３に示す演奏波形生成部３０１ｄの出力と同様の波形信号であり、再生部３０２のアンプ３０２ａで増幅することでスピーカ３０２ｂを駆動して音声出力する。演奏波形信号は音源の波形データを演奏操作に合わせて変調したものであるため、音声出力される音は楽器を演奏したと同様な音色となる。
【００９６】
図３に示す第１の態様では、演奏波形の合成は、演奏波形合成部３０３によって演奏波形信号を信号合成することで行っているのに対して、第２の態様では、演奏波形生成部１００１ｄにおいて行う。
【００９７】
前記したように、演奏波形生成部１００１ｄには、検出部１００１ｃからの演奏による検出信号と、記録された既演奏の検出信号とを入力し、これらの合成信号に基づいて波形データを変調することによって演奏波形信号を生成する構成としているため、演奏波形生成部１００１ｄからは現在の演奏と既演奏とを合成した演奏波形信号が生成されて出力される。
【００９８】
したがって、第２の態様の演奏波形生成部１００１は、第１の態様の演奏生成部３０１ｄの機能と演奏波形合成部３０３の機能を併せ持つものとなる。
【００９９】
ユーザによる演奏操作によって検出部１００１ｃで検出された検出信号と、音色の選択を行う操作部（選択部）１００１ａの選択信号は、エンコーダ１００６により演奏データの形態に符号化し、演奏データ記録部１００４の一時メモリ１００４ａに記録する。この一時メモリ１００４ａに記録される演奏データは、演奏者による演奏を記録するものである。また、送受信部１０１０から受信した演奏データは演奏データ記録部１００４のメモリ１００４ｂに記録する。このメモリ１００４ｂに記録される演奏データは、他の演奏者によって既に演奏された演奏を記録するものである。
【０１００】
したがって、演奏データ記録部１００４には、演奏者が現在演奏した演奏データと、送受信部１００１を介して受信した他の演奏者によって既演奏された演奏データの両演奏データが記録される。
【０１０１】
ここで、演奏データは、各パート別に音色、音程、音量の各要素をコード化した演奏データの形式で記録されるデータ形式とすることができ、このデータ形式とすることによって、複数の演奏者による各パートの演奏の音色、音程、音量の各要素についてそれぞれパート別に記録することができる。また、パート毎の再生や編集、あるいは、任意のパートの組み合わせ再生が可能となる。
【０１０２】
演奏データ記録部１００４のメモリ１００４ａ及びメモリ１００４ｂに記録された演奏データは、それぞれ個別にあるいは同時にデコーダ１００５により元の検出信号および選択信号の形態に復号化することができる。復号化により得られた選択信号は音源部１００１ｂで波形データの選択に利用される。復号化により得られた検出信号は、選択された波形データを用いて演奏波形生成部１００１ｄで演奏波形信号に変換される。このようにして生成された演奏波形信号は再生部１００２で再生して音声出力することができる。
【０１０３】
メモリ１００４ａに記録された演奏データを用いた場合には、演奏者による演奏を再生することになり、メモリ１００４ｂに記録された演奏データを用いた場合には、他の演奏者による既演奏を再生することになる。また、メモリ１００４ａとメモリ１００４ｂに記録する両演奏データを同時に用いた場合には、演奏者と他の演奏者による既演奏とを合わせて再生することになり、複数のパートを同時に演奏したと同様の音を発生することができる。また、他の演奏者の演奏を再生する場合には、パート別に再生することもできる。
【０１０４】
自己の演奏の再生、他の演奏者の再生、パート別の再生、複数のパートの同時再生等から何れの再生を行うかは、ユーザによる操作部２０２の操作に従って演奏波形生成部１００１ｄに入力する信号を選択することで行うことができる。検出部１００１ｄからの検出信号を入力する場合には実演奏を音声出力することができ、一時メモリ１００４ａに記録した演奏データをデコードして得られる検出信号を入力する場合には自己の演奏を再生することができ、メモリ１００４ｂに記録した演奏データをデコードして得られる検出信号を入力する場合には他の演奏者の演奏を再生することができ、メモリ１００４ｂに記録した演奏データからパートを特定してデコードして得られる検出信号を入力する場合にはパート別の演奏を再生することができ、一時メモリ１００４ａに記録した演奏データとメモリ１００４ｂに記録した演奏データとをデコードして得られる検出信号を入力する場合には複数のパートの同時演奏を行うことができる。
【０１０５】
この構成とすることにより、例えば、他の通信端末装置からベースのパートの演奏が記録された演奏データを受信し、演奏部１００１においてギターの音源を選択して演奏を行ってギターのパートの検出信号を生成し、演奏波形生成部１００１ｄにおいてベースのパートの検出信号とギターのパートの検出信号とによって、波形データを変調して再生部１００２で再生すると、ベースとギターの各パートを同時に演奏したと同様の音を出力することができる。
【０１０６】
メモリ１００４ｂには一時メモリ１００４ａに記録される演奏データを書き込むことができる。この書き込みによって、メモリ１００４ｂには演奏された全パートに演奏データが記録されることになる。
【０１０７】
メモリ１００４ｂに記録された各パートの演奏データは、デコーダ１００５で復号化して再生部１００２で再生する他、送受信部１０１０により他の通信端末装置に送信することができる。
【０１０８】
この送信信号を受信した通信端末装置は、前記と同様に操作によってその再生を行ったり、別のパートの演奏を重ね合わせて演奏波形信号を生成したりすることができる。
【０１０９】
図１１は図１０に示す構成例における動作例を説明するためのフローチャートである。なお、通信端末装置に表示される案内画面例については、前記した図５を参照して説明する。
【０１１０】
演奏を行うアプリケーションを開始すると、音色を選択する案内画面（図５（ａ））が表示される。案内画面には、例えば、ドラム、ベース、ギター、ボーカル等のパートが表示され、パートを選択することで対応する音色の音源が選択される。なお、ボーカルを選択した場合には、ボーカルの音源を選択する他に、音源を選択せずにマイクにより音声入力を選択するようにしてもよい（Ｓ１１）。
【０１１１】
再生ファイルを選択する案内画面（図５（ｃ））を表示して、再生ファイルの選択を行う。再生ファイルには、既に生成された演奏データが記録されており、通信端末装置が備える送受信部により他の通信端末装置から受け取って記録しておくことができる。また、演奏データ記録部１００４に再生ファイルが記録されていない場合には、他の通信端末装置と接続して取得してもよい（Ｓ１２）。
【０１１２】
取得した再生ファイルにパート情報が設定されている場合には、パート情報を案内画面（図５（ｄ））を表示して、パートの演奏状態を確認することができる。図５（ｄ）の例では、ドラムのパートは既に演奏波形信号が生成されているが、他のパート（ベース、ギター、ボーカル）については未演奏であることを確認することができる。なお、このパート情報の確認において、既に選択した音色のパートと重なる場合には、音色を変更してもよい。パート情報を参照して再生するパートを選択し、選択したパートの演奏を再生する（Ｓ１３）。
【０１１３】
再生に合わせて演奏を行い、自己の演奏データを一時メモリに記録する（Ｓ１５）。一時メモリ１００４ａに記録した自己の演奏は、前記（Ｓ１３）〜（Ｓ１５）を繰り返して再演奏を行い、演奏データを更新することができる（Ｓ１６）。
【０１１４】
演奏を記録するかを選択する案内画面（図５（ｅ））を表示し（Ｓ１７）、演奏により生成された演奏データを記録する場合には、一時メモリ１００４ａの演奏データを更新し（Ｓ１９）、記録を行わない場合には一時メモリ１００４ａの演奏データを消去する（Ｓ１８）。
【０１１５】
演奏データの送信は、前記した第１の態様と同様に、演奏者に曲データを送信するかの案内画面（図５（ｆ））を表示し、記録した演奏波形信号の次の演奏者への送信、あるいは受信した演奏波形信号の次の演奏者への転送を行う。送信先は、送信先を選択する案内画面（図５（ｇ））を表示し、案内画面（図５（ｈ））で表示された選択された送信先に送信する。
【０１１６】
図１２は、本発明の第２の態様による演奏システムでの通信端末装置間の動作例を説明するための動作状態図である。また、図１３は案内画面の例を示している。
【０１１７】
図１２、図１３に示す例では、パートＡ〜パートＤの４つの演奏パートをＡさんから順次Ｆさんまで送信し、その内でＡさん、Ｃさん、Ｅさん、Ｆさんが分担して演奏し、ＢさんとＤさんは演奏に参加しない場合を示している。完成した演奏データは、送信先に送られるが、送信先は、演奏者全員、送信者全員、あるいは任意に定めた送信先とすることができる。なお、以下では、最初に演奏データを送信する元を発信元とし、受信者に対して演奏データを送信する元を送信元と呼ぶ。
【０１１８】
ここでは、最初の発信元をＡさんとし、Ｂさん、Ｃさん、Ｄさん、Ｅさん、Ｆさんの順で送られる状態を示しているが、送信順は前記した第１の態様と同様とすることができ、予め発信元であるＡさんの段階で設定しておくことも、あるいは、受信者が次の送信先を任意に選択して設定してもよい。発信元において送信順を予め設定する場合には、発信元が送信先順序のデータを設定し、演奏波形信号と共にこの順序データを送り、受信者は送られた送信先順序のデータに従って次の送信先にる操作を繰り返し、送信順の最後に設定された演奏者は、送信先順序のデータに設定された全員に生成した演奏波形信号を送信する。
【０１１９】
発信元であるＡさんはパートＡを担当してドラムパートを演奏（３１）して演奏データを生成して記録し（３２）、次のＢさんに送信する（３３）。
【０１２０】
Ｂさんは、Ａさんから送信された演奏データを受信し（３４）、受信した演奏データを再生し（３５）、演奏を行うことなく、送信先を選択して（３６）、受信した演奏データを転送する（３７）。
【０１２１】
Ｃさんは、Ｂさんから転送された演奏データを受信し（３８）、パートＣを担当して送られた演奏データを再生してギターパートを演奏し（３９）、パートＣの演奏データを記録し（４０）、送信先を選択して（４１）、受信した演奏データと演奏した演奏データを次のＤさんに送信する（４２）。
【０１２２】
Ｄさんは、Ｂさんから送信された演奏データを受信し（４３）、受信した演奏データを再生することなく、また演奏も行うことなく、送信先を選択して（４４）、受信した演奏データをＥさんに転送する（４５）。
【０１２３】
Ｅさんは、Ｄさんから転送された演奏データを受信し（４６）、パートＢを担当して送られた演奏データを再生してベースパートを演奏し（４７）、パートＢの演奏データを記録し（４８）、送信先を選択して（４９）、受信した演奏データと演奏した演奏データを次のＦさんに送信する（５０）。
【０１２４】
Ｆさんは、Ｅさんから転送された演奏データを受信し（５１）、パートＤを担当して送られた演奏データを再生してボーカルパートを演奏し（５２）、パートＤの演奏データを記録する（５３）。Ｆさんは、完成した全パートの演奏データを選択した送信先に送信する（５４）。
【０１２５】
受信者は、演奏データを再生することにより全パートを再生することができる他、各パートを抽出して再生することもできる。また、選択したパートについて、各自の演奏による演奏データと入れ替えることもできる。
【０１２６】
図１４は、第２の態様における再生ファイルのデータ構成例を説明するための図である。
【０１２７】
再生ファイルは、第１の態様の再生ファイルと同様に、再生ファイルの書誌事項がヘッダ部と、演奏波形データが記録される演奏波形データ部を備える。ヘッダ部は、第１の態様と同様とすることができるため説明を省略する。
【０１２８】
演奏データは、前記したように検出信号を符号化したデータであり、各演奏者による各パート毎の演奏データが記録されており、デコーダで検出信号に変換することによって演奏波形生成部で演奏波形信号に変換し、再生部で音声出力することができる。
【０１２９】
演奏データは、演奏を構成する要素毎のデータを備える構成とすることができる。例えば、パートＡのデータは、ドラムの音色データ、音程データ及び音量データを備え、パートＢのデータは、ベースの音色データ、音程データ及び音量データを備える。
【０１３０】
図１５は再生ファイルのデータ書き込みの例を説明するための図である。図１５（ａ）は発信元による再生ファイルの設定、及び最初の演奏データの書き込み状態を示している。この例では、発信元がヘッダ部のパート数として“４”を設定すると、ヘッダ部のパート情報にはパートＡ〜パートＤの４つのパート項目が設定され、ヘッダ部の演奏者情報にはパートＡ〜パートＤの４つのパートに対応する演奏者項目が設定される。また、演奏データ部にはパート数４に合わせてパートＡ〜パートＤの４つのデータ領域が設定される。
【０１３１】
再生ファイルが設定された後、最初の演奏者がパートＡについて演奏を行ってパートＡ（例えば、ドラムのパート）の演奏データを記録すると、パート情報のパートＡに演奏者名が書き込まれ、演奏データのパートＡのデータ領域には、ドラムの音色データ、ドラムによる音程データ、ドラムによる音量データがそれぞれ書き込まれる。
【０１３２】
図１５（ｂ）は次の演奏者による演奏データの書き込み状態を示している。次の演奏者がパートＢについて演奏を行ってパートＢ（例えば、ベースのパート）の演奏データを記録すると、パート情報のパートＢに演奏者名が書き込まれ、演奏データのパートＢのデータ領域には、ベースの音色データ、ベースによる音程データ、ベースによる音量データがそれぞれ書き込まれる。
【０１３３】
以下に、本発明の通信端末装置を用いた演奏システムの利用例について、図１６〜図１８を用いて説明する。
【０１３４】
図１６に示す演奏システムの一例は、各通信端末装置の間で演奏データを授受することにより、複数のパートを担当する演奏者を様々な組み合わせとする演奏データを生成する態様である。
【０１３５】
例えば、Ａさん〜Ｄさんに４つの通信端末装置間において任意に通信端末装置間で演奏データの送受信を行う。受信者は、空きパートから任意のパートを選択して演奏を行って演奏データを記録し、次の通信端末装置に送信する。次の受信者は、さらに空きパートがある場合には、空きパートから任意のパートを選択して演奏を行って演奏データを記録し次の通信端末装置に送信する。
【０１３６】
上記操作を、空きパートが無くなるまで繰り返すことで、パートと演奏者との種々の組み合わせの演奏データを生成することができる。
【０１３７】
例えば、４つのパートについて４台の通信端末装置間で演奏データの生成を行う場合には、２４通りの組み合わせが可能となる。
【０１３８】
図１７に示す演奏システムの他の例は、通信端末装置から複数の通信端末装置に演奏データを送信し、受信した複数の通信端末装置は演奏データを付加した後、それぞれさらに複数の通信端末装置に演奏データを送信するという動作を繰り返すことで、多数の演奏データを次々と生成する態様である。
【０１３９】
例えば、４つのパートの演奏について行う場合に、発信元の１台の通信端末装置からｎ台に通信端末装置に送信した後、各受信段階において各通信端末装置がそれぞれｎ台の通信端末装置に演奏データを送信すると、ｎの３乗個の演奏データを生成することができる。
【０１４０】
この演奏システムの態様は、例えば、発信元から楽曲のテーマを送信し、このテーマに基づいて多数の演奏者による演奏データを作成させ、完成した演奏データを発信元に戻すといった演奏データの生成態様を構成することができる。発信元は、戻された演奏データを評価することで、演奏者間で演奏を競わせることができる。
【０１４１】
図１８は、図１７の演奏システムに際の再生ファイルのデータ構成例である。この再生ファイルでは、前記した図１４の再生ファイルのデータ構成において、ヘッダ部にルート情報を付加し、生成された演奏データのパスルートを記録し、演奏者情報と共に、演奏データの履歴を記録する構成とすることで、演奏データの識別を行うようにしてもよい。
【０１４２】
本発明の演奏システムは、本発明の通信端末装置を用いることで、複数の演奏者が各パートの演奏データを組み合わせ、演奏者が同じ場所で同じ時間に演奏したと同様の演奏を楽しむことができる。また、様々な演奏者による演奏データを生成することができる。
【産業上の利用可能性】
【０１４３】
本発明の通信端末装置は、携帯電話機に限らず通信機能を備えたＰＣ等の種々の形態の通信端末装置に適用することができる。
【図面の簡単な説明】
【０１４４】
【図１】本発明の通信端末装置の概略構成を説明するための図である。
【図２】本発明の通信端末装置のシステム構成を説明するためのブロック図である。
【図３】本発明の通信端末装置の第１の態様の機能構成を説明するためのブロック図である。
【図４】本発明の通信端末装置の第１の態様の構成例における動作例を説明するためのフローチャートである。
【図５】本発明の通信端末装置に表示される案内画面例である。
【図６】本発明の演奏システムによる通信端末装置間の動作例を説明するための概略図である。
【図７】本発明の演奏システムによる通信端末装置間の動作例を説明するための動作状態図である。
【図８】本発明の通信端末装置に表示される案内画面例を説明するための図である。
【図９】第１の態様における再生ファイルのデータ構成例を説明するための図である。
【図１０】本発明の通信端末装置の第２の態様の機能構成を説明するためのブロック図である。
【図１１】本発明の通信端末装置の第２の態様の構成例における動作例を説明するためのフローチャートである。
【図１２】本発明の第２の態様による演奏システムでの通信端末装置間の動作例を説明するための動作状態図である。
【図１３】本発明の通信端末装置に表示される案内画面例である。
【図１４】第２の態様における再生ファイルのデータ構成例を説明するための図である。
【図１５】本発明の演奏システムでの再生ファイルのデータ書き込みの例を説明するための図である。
【図１６】本発明の通信端末装置を用いた演奏システムの利用例を説明するための図である。
【図１７】本発明の通信端末装置を用いた演奏システムの利用例を説明するための図である。
【図１８】本発明の演奏システムに際の再生ファイルのデータ構成例を説明するための図である。
【符号の説明】
【０１４５】
１…通信端末装置、２…筐体、３…側面部、４，４ａ，４ｂ，４ｃ…検出部、５…背面部、６…検出部、２０１…制御部、２０２…操作部、２０３…表示部、２０４…演奏データ記録部、２０５…通信部、２０６…音源部、２０７…音声処理部、２０８…演奏波形生成部、２０９…演奏波形合成部、２１０…Ｉ／Ｆ部、２２１…検出部、２２２…スピーカ、２３０…制御ライン、２３１…データライン、３０１…演奏部、３０１ａ…選択部、３０１ｂ…音源部、３０１ｃ…検出部、３０１ｄ…演奏波形生成部、３０２…再生部、３０２ａ…アンプ、３０２ｂ…スピーカ、３０３…演奏波形合成部、３０４…波形データ記録部、３０５…デコーダ、３０６…エンコーダ、３１０…送受信部、１００１…演奏部、１００１ａ…選択部、１００１ｂ…音源部、１００１ｃ…検出部、１００１ｄ…演奏波形生成部、１００２…再生部、１００２ａ…アンプ、１００２ｂ…スピーカ、１００４…演奏データ記録部、１００４ａ…一時メモリ、１００４ｂ…メモリ、１００５…デコーダ、１００６…エンコーダ、１０１０…送受信部。
【図１】
2006195215.tif 000003
【図２】
2006195215.tif 000004
【図３】
2006195215.tif 000005
【図４】
2006195215.tif 000006
【図５】
2006195215.tif 000007
【図６】
2006195215.tif 000008
【図７】
2006195215.tif 000009
【図８】
2006195215.tif 000010
【図９】
2006195215.tif 000011
【図１０】
2006195215.tif 000012
【図１１】
2006195215.tif 000013
【図１２】
2006195215.tif 000014
【図１３】
2006195215.tif 000015
【図１４】
2006195215.tif 000016
【図１５】
2006195215.tif 000017
【図１６】
2006195215.tif 000018
【図１７】
2006195215.tif 000019
【図１８】
2006195215.tif 000020